(57)【特許請求の範囲】
【請求項１】
使用量データおよび異常データのうち少なくとも一つのデータを検出する供給情報検出手
段と、
前記供給情報検出手段により検出されたデータを記憶する記憶手段と、
ＩＣタグに記憶されたデータリクエストコードを検出するデータリクエストコード検出手
段と、
前記データリクエストコードに対応した前記記憶手段に記憶されている前記データを前記
ＩＣタグに書き込む書き込み手段と
を具備したことを特徴とする計量器。
【請求項２】
使用量データおよび異常データのうち少なくとも一つのデータを検出する供給情報検出手
段と、
時刻を識別する時刻識別手段と、
前記供給情報検出手段により検出されたデータを、前記時刻識別手段により検出された発
生時刻情報とともに記憶する記憶手段と、
ＩＣタグに記憶されたデータリクエストコードを検出するデータリクエストコード検出手
段と、
前記データリクエストコードに対応した前記記憶手段に記憶されている前記データならび
に前記発生時刻情報を前記ＩＣタグに書き込む書き込み手段と
を具備したことを特徴とする計量器。
【請求項３】
前記時刻識別手段は日本標準時電波信号受信部を具備したことを特徴とする請求項２記載
の計量器。
【請求項４】
前記供給情報検出手段はガス流の逆流検出手段であることを特徴とした請求項１乃至３の
いずれか１項記載の計量器。
【請求項５】
前記供給情報検出手段はガス圧力検出手段であることを特徴とした請求項１乃至３のいず
れか１項記載の計量器。
【請求項６】
前記供給情報検出手段は振動検出手段であることを特徴とした請求項１乃至３のいずれか
１項記載の計量器。
【発明の詳細な説明】
【技術分野】
【０００１】
本発明は被測定系の使用量等、供給情報に関するデータを取得する計量器に関する。
【背景技術】
【０００２】
従来より、一般家庭や工場、事業所の使用ガス量、使用電力量、使用水量を測定する計
量器が普及している。当該計量器は、被測定系の使用ガス量、使用電力量、使用水量を測
定する使用量検出手段と、使用量検出手段で検出した使用量をデータに編集する制御部と
、制御部にて編集されたデータを表示する表示部とを具備している。
【０００３】
また、計量データを収集する方法としては計量器外部にＩＣタグを具備し当該ＩＣタグ
に計量データ等必要なデータをハンディターミナル等により人手により記憶させておく検
針システム（例えば特許文献１）や、計量器の内部または外部にＩＣタグを設けておき計
量データ等必要なデータを記憶しておく計量器がある（例えば特許文献２）。
【特許文献１】特開２００３−３２３６８６号公報（第６頁、図１）
【特許文献２】特開２００１−１４７１４４号公報（第５頁、図１）
【発明の開示】
【発明が解決しようとする課題】
【０００４】
しかしながら、従来の計量器ではＩＣタグの記憶容量が小さいため記憶容量を多く必要
とする例えば計量データや供給系の異常情報等の供給情報データは伝送することができな
かった。一方大量のデータを伝送するためには例えば特定小電力無線等を利用した電波送
受信回路にて伝送することが考えられるが、このような電波送受信回路を計量器に搭載す
ることは、計量器が高価なものになってしまうという問題点があった。
【０００５】
本発明は、データ量の多い供給情報データを伝送することができる安価な計量器を提供す
ることを目的とする。
【課題を解決するための手段】
【０００６】
上記目的を達成するために、本発明による計量器は、供給情報検出手段と、前記供給情
報検出手段により検出されたデータを記憶する記憶手段と、前記記憶手段に記憶された前
記データをＩＣタグに記憶させる書き込み手段とを具備したことを特徴とする。
【発明の効果】
【０００７】
本発明によれば、データ量の多い供給情報データを無線電波にて伝送することができる
安価な計量器を提供することができる。
【発明を実施するための最良の形態】
【０００８】
以下、本発明の実施例を説明する。
【実施例１】
【０００９】
本発明による計量器の実施例１であるガスメータについて図１を参照して説明する。
【００１０】
１００は計量器本体でガスメータ、電力量計、水道メータのような計量器がこれに相当
する。
１０１は供給情報検出手段としての使用量検出部で、超音波をガス流に重畳させその超
音波の伝播時間からガス流速を求めガス流量を算出するガス量検出装置等により構成され
、ガス流量ならびにガスの逆流を検出し電気信号に変換する。なお、電力量計の場合は電
力量検出装置により構成されており、外部から供給される電圧、負荷側で使用される使用
電流を検出し、乗算し電力量に対応した電気信号に変換する。また、水道メータの場合は
水量検出装置により構成され、水量を検出し電気信号に変換する。
【００１１】
１０２は供給情報検出手段としての圧力検出部で、圧力センサ等により構成され、ガス
管内のガスの異常圧力を検出し、電気信号に変換する。
【００１２】
１０３は供給情報検出手段としての振動検出部で、感振センサ等により構成され、地震
等による振動を検出し、電気信号に変換する。
【００１３】
１０４は表示部で液晶表示器等により構成されており、使用ガス量データ等を表示する。
【００１４】
１０５は時刻識別手段で、日本標準時電波信号受信回路を有する時計回路により構成され
、日本標準時電波信号を受信し、水晶発振等によるクロックパルスを計数し年月日時分秒
の時刻データを作成する。
【００１５】
１０６は制御部でマイクロコンピュータ等により構成され、使用量検出部１０１により検
出されたガス量を使用ガス量データに編集する。ここで使用ガス量データとは総積算使用
ガス量ならびに各時間帯毎の使用ガス量等をいう。また、制御部１０６は逆流を検出した
場合はガス流量検出部１０１から、ガス管内の異常圧力を検出した場合は圧力検出部１０
２から、地震等の振動を検出した場合は振動検出部１０３からそれぞれ検出信号を受け、
これらの検出データに時刻識別手段１０５からの時刻データをその発生時刻として付加し
異常データを作成する。制御部１０６は使用ガス量データと異常データを供給情報データ
として記憶手段１０７に記憶させる。また、制御部１０６は使用ガス量データを表示部１
０４に表示させる。
【００１６】
１０７は記憶手段でＲＡＭのような半導体メモリにより構成され、供給情報データを記憶
する。なおここで供給情報データとは前記のように使用ガス量データであるところの総積
算使用ガス量ならびに各時間帯毎の使用ガス量等の使用量データならびに、ガス流量検出
部１０１により検出された逆流データ、圧力検出部１０２により検出された異常圧力デー
タ、振動検出部１０３にて検出された振動データ等に発生日時を付加した異常データをい
う。
【００１７】
１０８は入出力手段で、シリアル信号送受信回路等により構成され、ＩＣタグ１０９に
対しデータの書き込み、ならびに読み出しを行う。
【００１８】
１０９はＩＣタグで、電波によりデータの呼び出しができる不揮発性半導体メモリ等で
構成され、データリクエストコードならびにこれに対応した供給情報データを記憶する。
データリクエストコードは電波送受信機能を持つ外部装置等外部から電波にて書き込まれ
入出力手段１０８を介し制御部１０６により読み出される。供給情報データはシリアルデ
ータ等にて入出力手段１０８を介し制御部１０６により書き込まれ、外部から電波にて読
み出される。
【００１９】
次に、ＩＣタグ１０９の内部構成詳細について図２を参照して説明する。２０１はアンテ
ナで、例えば電波発生機能を持つハンディターミナル等の外部装置と電波信号の送受信を
行う。２０２は送受信部で、アンテナ２０１にて受信した電波発生機能を持つハンディタ
ーミナル等の外部装置から送信される各種データリクエストコードを受信し、記憶部２０
３が記憶している供給情報データをアンテナ２０１から電波にて送信する。２０３は記憶
部で不揮発性のメモリ、例えば強誘電メモリ（Ｆ−ＲＡＭ）等により構成され、データリ
クエストコードならびに供給情報データを記憶する。データリクエストコードは電波送受
信機能を持つハンディターミナル等の外部装置から電波にてアンテナ２０１、送受信部２
０２を介して書き込まれ、シリアルデータ等にて制御回路２０４から読み出される。供給
情報データはシリアルデータ等にて制御回路２０４を介し書き込まれ、外部装置からの電
波にて送受信部２０２、アンテナ２０１を介して読み出される。
【００２０】
次に、本実施例の動作を、図３ならびに図４のプログラム構成図を参照しつつ、説明す
る。本プログラムは制御部１０６内のプログラムメモリ内に記憶され、制御部１０６の動
作を制御している。
【００２１】
供給情報データを計量器１００から読み出すには、検針員等の操作者が電波発生機能を持
つハンディターミナル等の外部装置を操作しデータ取得を行う。図３において３００は外
部装置でハンディーターミナル等がこれにあたる。３０１は操作部でキーボードスイッチ
等により構成され操作者により操作される。３０２は制御部でマイクロコンピュータ等か
ら構成され、操作部３０１からの入力を受けタグ伝送部３０３並びに記憶部３０４を制御
する。タグ伝送部３０３は無線電波送受信回路により構成され、制御部３０２の制御のも
と電波を送出し計量器１００内のＩＣタグ１０９にデータリクエストコードを書き込み、
またＩＣタグ１０９内の供給情報データを読み出す。３０４は記憶部でＲＡＭのような半
導体メモリにより構成され、制御部３０２がタグリーダ部３０３を介しＩＣタグ１０９か
ら取得した供給情報データを記憶する。
【００２２】
先ず、供給情報データを計量器１００から読み出すにあたり操作者は外部装置３００の操
作部３０１を操作しＩＣタグ１０９と伝送を行うよう入力する。すると、外部装置３００
内の制御部３０２はタグ伝送部３０３を制御し電波を送出し計量器１００内のＩＣタグ１
０９にデータリクエストコードを記憶させる。ここでデータリクエストコードは計量器１
００に伝送を命じる旨の伝送命令コードと、伝送するデータの種別を表すデータ種別コー
ドから構成されている。ＩＣタグ１０９の記憶容量は大きくないため計量器が持つすべて
の供給情報データを一度に記憶することができない。従って、ＩＣタグ１０９の記憶容量
を越えるデータ量の伝送を行う場合は、何回にも回数を分けて伝送を行うことが必要にな
る。この場合データの種別を特定する必要があるが、当該データ種別コードは、外部装置
側にてその種別を指定するためのものである。データリクエストコードのデータ種別コー
ドは例えば、計量値データの伝送をリクエストする計量値データリクエストコード、逆流
データの伝送をリクエストする逆流データリクエストコード、圧力データの伝送をリクエ
ストする圧力データリクエストコード、振動データの伝送をリクエストする振動データリ
クエストコード等の種類がある。また、さらに計量値データリクエストコードは総積算使
用ガス量データリクエストコードならびに各時間帯毎の時間帯使用ガス量データリクエス
トコードに分けられる。    
一方、計量器１００内では制御部１０６が常時監視しておりＩＣタグ１０９にデータリク
エストコードが記録されたかを検出する（ステップ４０１）。
【００２３】
データリクエストコードを検出した制御部１０６は当該コードが計量値データリクエスト
コードであるか（ステップ４０２）、逆流データリクエストコードであるか（ステップ４
０４）、圧力データリクエストコードであるか（ステップ４０６）振動データリクエスト
コードであるか（ステップ４０８）を判断し、計量値データリクエストコードである場合
は当該コード中に指定された総積算使用ガス量データまたは対応する時間帯使用ガス量デ
ータを（ステップ４０３）、逆流データリクエストコードである場合は逆流データを（ス
テップ４０５）、圧力データリクエストコードである場合は圧力データを（ステップ４０
７）、振動データリクエストコードである場合は振動データを（ステップ４０９）ＩＣタ
グ１０９中の各種データリクエストコードが記憶されている領域と異なる領域に記憶させ
る。さらに制御部１０６はステップ４０３、４０５、４０７、４０９にてデータをＩＣタ
グに記憶させた後、ＩＣタグに記憶されている各種データリクエストコードを消去する（
ステップ４１０）。
【００２４】
その後、外部装置３００において制御部３０２は当該ＩＣタグ１０９に記憶された各種供
給情報データをタグ伝送部３０３を介し電波にて読み出し、記憶部３０４に記憶させる。
尚、データ数が多い場合、制御部３０２は各種データリクエストコードを複数回送信し上
記動作を繰り返し供給情報データを計量器１００から取得する。
【００２５】
このようにして、データ量の多い供給情報データでもＩＣタグ１０９を介しハンディータ
ーミナル等の外部装置３００に取得することができる。
【００２６】
また、本実施例を用いれば計量器が検出した逆流、異常圧力、振動等の異常データを取得
することができる。当該逆流は所謂脈動と呼ばれ、ガス管等供給系内の圧力が下がること
により発生するが、発生場所や時刻は一定ではない。脈動がどこの地域で何時発生するか
を把握することはガスを安定供給しようとするガス事業者にとって重要な事項である。ま
た、地震や振動が発生した場合、ガス管のような供給設備が破損していることもあり、当
該振動がどこの地域で何時発生したかを把握することは、ガスを安定供給しようとするガ
ス事業者にとって重要な事項である。本実施例を用いればガス事業者に判断材料となる異
常データを供給することが可能である。
【００２７】
以上のように、本発明を用いれば、データ量の多い供給情報データを伝送することがで
きる安価な計量器を提供することができる。
【図面の簡単な説明】
【００２８】
【図１】本発明による計量器の実施例１の構成を示す内部構成図
【図２】本発明による計量器にかかるＩＣタグの構成を示す内部構成図
【図３】本発明による計量器の使用方法を示す説明図
【図４】本発明による実施例１のプログラムを示すプログラム構成図
【符号の説明】
【００２９】
１００    計量器本体
１０１    使用量検出部
１０２    圧力検出部
１０３    振動検出部
１０４    表示部
１０５    時刻識別手段
１０６    制御部
１０７    記憶手段
１０８    入出力手段
１０９    ＩＣタグ
２０１    アンテナ
２０２    送受信部
２０３    記憶部
２０４    制御回路
３００    端末機器
３０１    操作部
３０２    制御部
３０３    タグ伝送部
３０４    記憶部
【図１】
0004737610.tif 000002
【図２】
0004737610.tif 000003
【図３】
0004737610.tif 000004
【図４】
0004737610.tif 000005